(57)【要約】【課題】、グラスランコーナー部の「位置ずれ」や「ずれ落ち」あるいは「外れ」を確実に防止して、見栄えの向上を図った構造を提供する。【解決手段】ドアフレーム２の横辺部１６および縦辺部１７ではそれぞれチャンネル部材６または７が装着されているのに対し、フレーム側コーナー部８にはチャンネル部材が存在していない。フレーム側コーナー部８にグラスランコーナー部９Ｃを組み付けるにあたり、グラスランコーナー部９Ｃ側に予め形成してある位置決めブロック１４の係止爪１５を、ガイド面１９にて案内しながら、各チャンネル部６，７の端面６ａまたは７ａを乗り越えさせた上で、その背面側に係止させる。【選択図】図１
2008168793.tif 000002
【特許請求の範囲】
【請求項１】
アウタパネルとインナパネルとで形成され且つコーナー部を除いてそれらのアウタパネルとインナパネルとの間に横辺部側チャンネル部材と縦辺部側チャンネル部材とを設けてなるドアフレームのうち、上記チャンネル部材が存在しないフレーム側コーナー部に対して、グラスランのコーナー部を取り付ける構造であって、
上記グラスランコーナー部の外周面に双方のチャンネル部材の端面に当接する位置決めブロックを個別に設け、
上記各位置決めブロックにチャンネル部材の端面を乗り越えてそのチャンネル部材の背面に引っ掛かる係止爪部を形成するとともに、
各係止爪部の外側に当該係止爪部がチャンネル部材の端面を乗り越える際の案内面となる斜状のガイド面を形成したことを特徴とするグラスランコーナー部の取付構造。
【請求項２】
各係止爪部の外側に斜状のガイド面を形成するのに代えて、
いずれか一方の係止爪部の外側に当該係止爪部がチャンネル部材の端面を乗り越える際の案内面となる斜状のガイド面を形成したことを特徴とする請求項１に記載のグラスランコーナー部の取付構造。
【請求項３】
上記係止爪部の外側に斜状のガイド面を形成した位置決めブロックのうち反係止爪部側の位置であって且つ係止爪部とその係止爪部が突設された位置決めブロック側の端面とのなすアングル状の係止凹部の対角線上に同じくアングル状の凹欠部を形成したことを特徴とする請求項１または２に記載のグラスランコーナー部の取付構造。
【請求項４】
上記係止爪部とともにガイド面を形成した位置決めブロックにおいて、少なくとも係止爪部を位置決めブロックよりも硬質の材料で形成したことを特徴とする請求項１〜３のいずれかに記載のグラスランコーナー部の取付構造。
【請求項５】
上記係止爪部とともにガイド面を形成した位置決めブロックに代えて、
上記グラスランコーナー部の外周面に双方のチャンネル部材の端面に当接する位置決めブロックを個別に設け、
上記各位置決めブロックに隣接して、係止爪部を含みつつ少なくともグラスラン長手方向での寸法が位置決めブロックよりも小さい略Ｌ字状の保持ブロックをそれぞれに設けるとともに、
各保持ブロックにおける係止爪部の外側に当該係止爪部がチャンネル部材の端面を乗り越える際の案内面となる斜状のガイド面を形成したことを特徴とする請求項１に記載のグラスランコーナー部の取付構造。
【請求項６】
上記係止爪部とともにガイド面を形成した位置決めブロックに代えて、
上記グラスランコーナー部の外周面に双方のチャンネル部材の端面に当接する位置決めブロックを個別に設け、
いずれか一方の位置決めブロックにチャンネル部材の端面を乗り越えてそのチャンネル部材の背面に引っ掛かる係止爪部を形成する一方、
他方の各位置決めブロックに隣接して、係止爪部を含みつつ少なくともグラスラン長手方向での寸法が位置決めブロックよりも小さい略Ｌ字状の保持ブロックを設け、
この保持ブロックにおける係止爪部の外側に当該係止爪部がチャンネル部材の端面を乗り越える際の案内面となる斜状のガイド面を形成したことを特徴とする請求項１に記載のグラスランコーナー部の取付構造。
【請求項７】
上記保持ブロックのうち少なくとも係止爪部を位置決めブロックよりも硬質の材料で形成したことを特徴とする請求項５または６に記載のグラスランコーナー部の取付構造。
【発明の詳細な説明】
【技術分野】
【０００１】
本発明は、自動車のドアにおけるグラスランコーナー部の取付構造に関し、特にアウタパネルとインナパネルとで形成され且つコーナー部を除いてそれらのアウタパネルとインナパネルとの間にチャンネル部材を設けてなるドアフレームのうち、上記チャンネル部材が存在しないフレーム側コーナー部に対して、グラスランのコーナー部を取り付ける構造に関するものである。
【背景技術】
【０００２】
プレスドアあるいはフルプレスドアと称される自動車のドアにおいては、そのドアフレーム（ドアサッシュ部）をドア本体とともに共通のアウタパネルとインナパネルとで形成するとともに、それらのアウタパネルとインナパネルとの間にチャンネル部材を設け、このチャンネル部材にてグラスランを嵌合保持するようにしている。
【０００３】
そして、このようなドア構造において、ドアフレームの横片部や縦辺部にのみそれぞれチャンネル部を設けて、コーナー部にはチャンネル部を設けないことがあり、そのためのグラスランコーナー部の取付構造として特許文献１に記載のものが提案されている。
【０００４】
特許文献１の記載によれば、チャンネル部が存在しないフレーム側コーナー部に対して同等部位のグラスランコーナー部を嵌合保持させるにあたり、そのグラスランコーナー部の外周面において長手方向両端部にブロック状の係止片をそれぞれ突設し、ドアフレームの横片部および縦辺部に配設されているチャンネル部の端面に上記係止片をそれぞれ当接させることで、フレーム側コーナー部に対してグラスランコーナー部を位置決めするようになっている。
【特許文献１】特開２０００−１５８９５０号公報
【発明の開示】
【発明が解決しようとする課題】
【０００５】
しかしながら、上記特許文献１に記載の技術では、係止片の存在によってフレーム側コーナー部とグラスランコーナー部との相対位置決めがなされてはいても、両者の抜け止めまでは完全に施されていない。そのため、グラスランコーナー部のうちでも特に横片部側に近い部分に自重による「位置ずれ」あるいは保持力不足による「ずれ落ち」や「外れ」が生じやすく、グラスランコーナー部の見栄え向上の上でなおも課題を残している。
【０００６】
本発明はこのような課題に着目してなされたものであり、グラスランコーナー部を一旦位置決め保持してしまえばその抜け止めまで施されて、以降の「位置ずれ」や「ずれ落ち」あるいは「外れ」を確実に防止して、グラスランコーナー部の見栄えの向上を図った構造を提供するものである。
【課題を解決するための手段】
【０００７】
請求項１に記載の発明は、アウタパネルとインナパネルとで形成され且つコーナー部を除いてそれらのアウタパネルとインナパネルとの間に横辺部側チャンネル部材と縦辺部側チャンネル部材とを設けてなるドアフレームのうち、上記チャンネル部材が存在しないフレーム側コーナー部に対して、グラスランのコーナー部を取り付ける構造であることを前提とする。
【０００８】
その上で、上記グラスランコーナー部の外周面に双方のチャンネル部材の端面に当接する位置決めブロックを個別に設け、各位置決めブロックにチャンネル部材の端面を乗り越えてそのチャンネル部材の背面に引っ掛かる係止爪部を形成するとともに、各係止爪部の外側に当該係止爪部がチャンネル部材の端面を乗り越える際の案内面となる斜状のガイド面を形成したことを特徴とする。
【０００９】
この場合において、請求項２に記載のように、各係止爪部の外側に斜状のガイド面を形成するのに代えて、いずれか一方の係止爪部の外側に当該係止爪部がチャンネル部材の端面を乗り越える際の案内面となる斜状のガイド面を形成しても良い。
【００１０】
また、必要に応じて、請求項３に記載のように、上記係止爪部の外側に斜状のガイド面を形成した位置決めブロックのうち反係止爪部側の位置であって且つ係止爪部とその係止爪部が突設された位置決めブロック側の端面とのなすアングル状の係止凹部の対角線上に同じくアングル状の凹欠部を形成すると、係止爪部の可撓性が良好なものとなり、その係止爪部をチャンネル部材の背面に引っ掛けやすくなる。
【００１１】
加えて、請求項４に記載のように、上記係止爪部とともにガイド面を形成した位置決めブロックにおいて、少なくとも係止爪部を位置決めブロックよりも硬質の材料で形成すると、係止爪部をチャンネル部材の背面に引っ掛ける際の節度感が得られて、組付性が一段と良好なものとなる。
【００１２】
請求項５，６に記載の発明は、先に述べた位置決めブロックの機能と係止爪部の機能をそれぞれ分割して、独立した部材として形成したものである。
【００１３】
すなわち、請求項５に記載の発明は、請求項１に記載のように係止爪部とともにガイド面を形成した位置決めブロックに代えて、グラスランコーナー部の外周面に双方のチャンネル部材の端面に当接する位置決めブロックを個別に設け、上記各位置決めブロックに隣接して、係止爪部を含みつつ少なくともグラスラン長手方向での寸法が位置決めブロックよりも小さい略Ｌ字状の保持ブロックをそれぞれに設けるとともに、各保持ブロックにおける係止爪部の外側に当該係止爪部がチャンネル部材の端面を乗り越える際の案内面となる斜状のガイド面を形成したことを特徴とする。
【００１４】
同様に、請求項６に記載の発明は、請求項１に記載のように係止爪部とともにガイド面を形成した位置決めブロックに代えて、グラスランコーナー部の外周面に双方のチャンネル部材の端面に当接する位置決めブロックを個別に設け、いずれか一方の位置決めブロックにチャンネル部材の端面を乗り越えてそのチャンネル部材の背面に引っ掛かる係止爪部を形成する一方、他方の各位置決めブロックに隣接して、係止爪部を含みつつ少なくともグラスラン長手方向での寸法が位置決めブロックよりも小さい略Ｌ字状の保持ブロックを設け、この保持ブロックにおける係止爪部の外側に当該係止爪部がチャンネル部材の端面を乗り越える際の案内面となる斜状のガイド面を形成したことを特徴とする。
【００１５】
この場合において、請求項４に記載のものと同様の理由から、請求項７に記載のように、保持ブロックのうち少なくとも係止爪部を位置決めブロックよりも硬質の材料で形成することが望ましい。
【００１６】
したがって、少なくとも請求項１，２に記載の発明では、グラスランをドアフレームに組み付ける際に、グラスランコーナー部に設けてある位置決めブロックが各チャンネル部材の端面と当接することで、ドアフレーム側のコーナー部とグラスランコーナー部との長手方向での相対位置決めがなされ、同時に位置決めブロックに突設された係止爪部がチャンネル部材の端面を乗り越えてそのチャンネル部材の背面に引っ掛かることでその抜け止めが施されることになる。その上、係止爪部がチャンネル部材の端面を乗り越える際に、斜状のガイド面が案内面として機能することになるので、チャンネル部材の背面に対する係止爪部の引っ掛かりがスムーズに行われる。
【００１７】
また、請求項５，６に記載の発明では、請求項１，２に記載の発明における位置決めブロックの機能と係止爪部の機能とを分割して、実質的に位置決めブロックと保持ブロックを併存させたものであるから、請求項１，２に記載の発明と同様の機能が発揮されることになる。
【発明の効果】
【００１８】
請求項１に記載の発明によれば、フレーム側コーナー部に対するグラスランコーナー部の位置決めだけでなく抜け止めまでも確実に行えるため、グラスランコーナー部の「位置ずれ」や「ずれ落ち」あるいは「外れ」までもを確実に防止して、グラスランコーナー部の見栄えの向上を図ることができる。また、傾斜したガイド面が案内面として有効に機能するため、組付性もきわめて良好なものとなるほか、係止爪部に引っ掛かり代があるためにチャンネル部材の端面位置がばらついてもそのチャンネル部材に確実に引っ掛かり、信頼性が高くなる。
【００１９】
請求項２に記載の発明によれば、例えばドアフレームの横辺部側のチャンネル部の端面に当接しつつ引っ掛かることになる一方の位置決めブロックに傾斜したガイド面を設けて、縦辺部側のチャンネル部の端面に当接しつつ引っ掛かることになる他方の位置決めブロックに傾斜したガイド面を形成しないようにすれば、当該位置決めブロック全体の剛性を高めることができ、ずれ止めおよび外れ止め効果を一段と顕著となる。
【００２０】
請求項３に記載の発明によれば、位置決めブロックの一部に凹欠部を設けたものであるから、係止爪部がチャンネル部の端面を乗り越え得る際にその係止爪部が撓みやすくなり、組付性が一段と向上する。
【００２１】
請求項４に記載の発明によれば、位置決めブロックに形成した係止爪部を位置決めブロックそのものよりも硬質の材料で形成したことにより、係止爪部がチャンネル部の端面を乗り越えてその背面側に引っ掛かる際に節度感が得られるようになり、組付性および組付後の保持性が一段と向上する。
【００２２】
請求項５，６に記載の発明によれば、請求項１，２に記載の発明における位置決めブロックの機能と係止爪部の機能とを分割して、実質的に位置決めブロックと保持ブロックを併存させたものであるから、請求項１，２に記載の発明と同様の効果がえら得ることはもちろんのこと、保持ブロックは位置決めブロックよりも変形しやすいため、一段と組付性が良好なものとなる。
【００２３】
請求項７に記載の発明によれば、保持ブロックのうちその係止爪部を位置決めブロックそのものよりも硬質の材料で形成したことにより、請求項４に記載の発明と同様の効果が得られる。
【発明を実施するための最良の形態】
【００２４】
図１〜４は本発明に係るグラスランコーナー部の取付構造のより具体的な実施の形態を示し、特に図１は例えば図５に示すように自動車におけるプレスドア（フルプレスドア）タイプのリアドア１のドアフレーム（ドアサッシュ部）２における後部コーナー部Ｑの詳細を示している。
【００２５】
図１〜３に示すように、ドアフレーム２は、周知のようにドア本体３を形成している共通のアウタパネル４とインナパネル５のほか、それらアウタパネル４とインナパネル５の間に介装されたチャンネル部材６，７をもって形成されている。より詳細には、ドアフレーム２の横片部１６には横辺側チャンネル部材６が、ドアフレーム２の縦片部１７には縦辺側チャンネル部材７がそれぞれ装着されていて、それらの横辺側チャンネル部材６の端面６ａと縦辺側チャンネル部材７の端面７ａとではさまれてチャンネル部材が存在しない部分がフレーム側コーナー部８となっている。つまり、フレーム側コーナー部８はアウタパネル４とインナパネル５のみをもって形成されている。
【００２６】
そして、上記のようにチャンネル部材が存在しているか否かにかかわらず、フレーム側コーナー部８を含むドアフレーム２の横辺部１６および縦辺部１７の内周にグラスラン９が嵌合保持されている。このグラスラン９は、ドアフレーム２側の横辺部１６および縦辺部１７にそれぞれ相当する均一断面のグラスラン一般部９Ａ，９Ｂのほか、それらのグラスラン一般部９Ａ，９Ｂ同士の間に介在していて且つ上記チャンネル部材の不存在部分たるフレーム側コーナー部８に対応するグラスランコーナー部９Ｃとで形成されている。
【００２７】
上記グラスラン一般部９Ａ，９Ｂは、周知のようにインナパネル５と横辺側チャンネル部材６あるいは縦辺側チャンネル部材７との重合フランジ部１１に対するパネルリップ１２の挟持力や、保持リップ１３とそれらに対応する横辺側チャンネル部材６あるいは縦辺側チャンネル部材７の一部との係合によってその嵌合保持力を得ているのに対して、グラスランコーナー部９Ｃに対応するフレーム側コーナー部８にはチャンネル部材が存在しないために、後述するようにそのグラスランコーナー部９Ｃに位置決めブロック１４を突設し、その位置決めブロック１４の一部を横辺側チャンネル部材６および縦辺側チャンネル部７の端面６ａ，７ａに係止させることで嵌合保持力を得ている。
【００２８】
なお、グラスランコーナー部９Ｃは、周知のように均一断面形状のものとして押出成形された双方のグラスラン一般部９Ａ，９Ｂの端部を金型に挿入した上で所定のゴム材料等を注入することにより、双方のグラスラン一般部９Ａ，９Ｂ同士を接続（接合）するべくそれらと一体に金型成形したものである。そして、図１中の符号１０は、双方のグラスラン一般部９Ａ，９Ｂとグラスランコーナー部９Ｃとの接合線を示している。また、グラスラン９が受容することになるドアガラスを符号Ｇで示す。
【００２９】
ここで、グラスランコーナー部９Ｃの外周面のうちその二箇所、すなわち横辺部１６側および縦辺部１７側のそれぞれのチャンネル部材６，７の端面６ａ，７ａに近接する位置には、それぞれに位置決めブロック１４を外側に向けて一体に突出形成してある。この位置決めブロック１４は矩形ブロック状のものであり、図４に示すように各チャンネル部材６，７の端面６ａ，７ａと対向する側の側面にはそれぞれのチャンネル部材６または７側に向けて係止爪部１５を一体に突出形成してあり、位置決めブロック１４それ自体の側面と係止爪部１５とをもって略アングル状の係止凹部１８を形成してある。さらに、双方の位置決めブロック１４共に係止爪部１５の外側を傾斜したいわゆる斜状のガイド面１９としてある。
【００３０】
そして、各位置決めブロック１４の側面のアングル状の係止凹部１８にて横辺側チャンネル部材６および縦辺側チャンネル部材７の端面６ａまたは７ａ７を受容しつつ、係止爪部１５が各チャンネル部材６，７の端面６ａまたは７ａを乗り越えて、それらの各チャンネル部材６，７の背面に引っ掛かるように係止させることで、チャンネル部材が存在しないフレームコーナー部８でのグラスランコーナー部９Ｃの位置決めと抜け止めを施してある。
【００３１】
なお、グラスランコーナー部９Ｃの材質を例えば硬度がＪＩＳ−Ａ８０程度のＴＰＯとすれば、係止爪部１５を含む位置決めブロック１４はグラスランコーナー部９Ｃと同じ材質で一体に形成してある。もちろん、係止爪部１５を含む位置決めブロック１４をグラスランコーナー部９Ｃとともにソリッドゴムにて形成しても良い。
【００３２】
したがって、このように構成されたグラスランコーナー部の取付構造によれば、ドアフレーム２に対してその内側からグラスラン９を嵌合保持させる際の手順としては、例えば縦辺側チャンネル部材７にそれに対応するグラスラン一般部９Ｂを嵌合保持させ、次いでフレーム側コーナー部８にグラスランコーナー部９Ｃを嵌合保持させ、さらに横辺側チャンネル部材６にそれに対応するグラスラン一般部９Ａをそれぞれ嵌合保持させるものとする。
【００３３】
この場合、グラスラン一般部９Ａ，９Ｂでは、横辺側チャンネル部材６および縦辺側チャンネル部材７に対してそのグラスラン一般部９Ａまたは９Ｂを押し込みつつパネルリップ１２にて重合フランジ部１１をくわえさせれば良い。他方、グラスランコーナー部９Ｃの場合には、相手側のフレーム側コーナー部８がチャンネル部を有していないために、各位置決めブロック１４を奥部側に押し込みつつ、図４に示すように各位置決めブロック１４に付帯している係止爪部１５を対応する各チャンネル部材６，７の端面６ａまたは７ａを乗り越えさせた上で、各チャンネル部材６，７の背面側に係止させる。
【００３４】
こうすることにより、フレーム側コーナー部８に対するグラスランコーナー部９Ｃの長手方向の位置決めがなされるとともに、各チャンネル部材６，７に対する係止爪部１５の係止のためにその「ずれ止め」や「抜け止め」も同時に施されることになる。
【００３５】
図６は本発明に係るグラスランコーナー部の取付構造の第２の実施の形態を示し、図１と共通する部分には同一符号を付してある。
【００３６】
この第２の実施の形態では、縦辺側チャンネル部材７に近接することになる位置決めブロック２４に略アングル状の係止凹部２８とともに係止爪部２５を形成するも、この係止爪部２５を矩形状のものとして、他方の位置決めブロック１４のような斜状のガイド面１９を廃止したものである。
【００３７】
ただし、一方の位置決めブロック２４がガイド面１９を有しないために、図７に示すように縦辺側チャンネル部材７の端面７ａよりも少し高い位置にて位置決めブロック２４を奥部側に押し込み（図７の矢印ａ１参照）、次いでその位置決めブロック２４を押し下げて係止爪部２５を縦辺側チャンネル部材７の背面に引っ掛けて係止させ（図７の矢印ａ２参照）、最後に他方の位置決めブロック１４を押し込んでその係止爪部１５を縦辺側チャンネル部材６の背面に引っ掛けて係止させるものとする（図７の矢印ａ３参照）。
【００３８】
この第２の実施の形態によれば、特に位置ずれが生じやすい縦辺部１７側において、その縦辺側チャンネル部材７の端面７ａに対し係止爪部２５をもって係止することになる位置決めブロック２４にガイド面１９を形成していないので、位置決めブロック２４全体の剛性を高めることができ、とりわけ縦辺部１７側でのグラスランコーナー部９Ｃのずれ防止効果が顕著となる。
【００３９】
図８は本発明に係るグラスランコーナー部の取付構造の第３の実施の形態を示し、図１と共通する部分には同一符号を付してある。
【００４０】
この第３の実施の形態では、位置決めブロック３４を前後二層構造とし、その位置決めブロック３４のうち係止爪部１５を含む先端部３４ａ側をそれ以外の後部３４ｂよりも硬質の材料にて形成したものである。例えば、位置決めブロック３４の後部３４ｂの材質をグラスランコーナー部９Ｃの材質とともに硬度がＪＩＳ−Ａ８０程度のＴＰＯとすれば、係止爪部１５を含む先端部３４ａ側を硬度がＪＩＳ−Ｄ５０程度のＰＰで形成してある。
【００４１】
この第３の実施の形態では、係止爪部１５が硬質材料で形成されているために、その係止爪部１５が各チャンネル部材６，７の端面６ａまたは７ａを乗り越えてその背面側に引っ掛かる際に節度感が得られるようになり、特にグラスランコーナー部９Ｃの組付性および組付後の保持性が一段と向上するようになる。
【００４２】
図９は本発明に係るグラスランコーナー部の取付構造の第４の実施の形態を示し、図８の第３の実施の形態と共通する部分には同一符号を付してある。
【００４３】
この第４の実施の形態では、係止爪部１５の外側に斜状のガイド面１９を形成した位置決めブロック４４のうち係止爪部１５を含む先端部３４ａ側をそれ以外の後部４４ｂよりも硬質の材料にて形成するとともに、後部４４ｂのうち反係止爪部１５側の位置であって且つアングル状の係止凹部１８の対角線上に、同じくアングル状の凹欠部４５を形成してある。すなわち、位置決めブロック４４の後部４４ｂを先端側の係止凹部１８と同じ高さ程度まで薄肉化してある。
【００４４】
この第４の実施では、係止爪部１５を硬質材料で形成することでそれ自体は撓みにくくなるものの、その係止爪部１５を実質的にバックアップしている後部４４ｂがあたかも肉盗み部を設けたかの如く薄肉化されているため、係止爪部１５が硬質であってもチャンネル部材６，７の端面６ａまたは７ａを乗り越え得る際にその係止爪部１５が撓みやすくなり、組付性向上に大きく寄与できるようになる。
【００４５】
図１０，１１は本発明に係るグラスランコーナー部の取付構造の第５の実施の形態を示し、図１，２の第１の実施の形態と共通する部分には同一符号を付してある。
【００４６】
この第５の実施の形態では、図１，２に第１の実施形態として示したもののうち位置決めブロック１４そのものの機能と係止爪部１５の機能とを分割して、実質的に両者を独立・分離させて併存させるようにした点で異なっている。
【００４７】
図１０，１１に示すように、グラスランコーナー部９Ｃの外周面において、第１の実施の形態のものと異なり係止爪部１５を有しない位置決めブロック５４に隣接して、先端側を係止爪部５５とする略Ｌ字状で且つ極小形状の保持ブロック５６を一体に形成するとともに、その係止爪部５５の外側を傾斜したガイド面５９としてある。
【００４８】
なお、位置決めブロック５４のうち各チャンネル部材６，７の端面６ａまたは７ａと正対することになる端面は係止爪部５５の最先端位置よりもわずかに奥部側（端面６ａまたは７ａから離れた側）に位置しているとともに、その位置決めブロック５４にも係止爪部５５側のガイド面５９よりもわずかに奥部側に位置する斜めの補助ガイド面５４ａを形成してある。なお、この補助ガイド面５４ａは組み付けの際にいわゆる一次的なラフガイドとして機能することになる。
【００４９】
この第５の実施の形態によれば、先に述べたように第１の実施の形態における位置決めブロック１４の機能と係止爪部１５の機能とを分割したものであるので、第１の実施の形態と同様の効果が得られるほか、保持ブロック５６が略Ｌ字状で且つ極小形状のものであるので、組付時にその保持ブロック５６が変形しやすく、組付性に優れる利点がある。
【００５０】
図１２は本発明に係るグラスランコーナー部の取付構造の第６の実施の形態を示し、図１０，１１の第５の実施の形態と共通する部分には同一符号を付してある。
【００５１】
この第６の実施の形態では、横辺側チャンネル部材６に近接することになる部位では第５の実施の形態と同様に位置決めブロック５４と保持ブロック５６とを並設する一方、縦辺側チャンネル部材７に近接することになる部位では図６の第２の実施の形態と同様に位置決めブロック２４のみとして、その位置決めブロック２４に略アングル状の係止凹部２８とともに係止爪部２５を形成するも、この係止爪部２５を矩形状のものとして、斜状のガイド面機能を廃止したものである。
【００５２】
この第６の実施の形態によれば、一方の位置決めブロック２４がガイド面機能を有しないために、第２の実施の形態のものと同様の組み付け手順となり、第２の実施の形態のものと同様の作用効果のほか、第５の実施の形態のものと同様の作用効果が得られることになる。
【００５３】
図１３は本発明に係るグラスランコーナー部の取付構造の第７の実施の形態を示し、図１０の第５の実施の形態と共通する部分には同一符号を付してある。
【００５４】
この第７の実施の形態では、第５の実施の形態と同様に、位置決めブロック６４と、係止爪部６５を有する保持ブロック６６とを並設することを前提とした上で、保持ブロック６６を位置決めブロック６４よりも硬質の材料にて形成したものである。例えば、位置決めブロック６４の材質をグラスランコーナー部９Ｃの材質とともに硬度がＪＩＳ−Ａ８０程度のＴＰＯとすれば、係止爪部６５を含む保持ブロック６６を硬度がＪＩＳ−Ｄ５０程度のＰＰで形成してある。
【００５５】
したがって、この第７の実施に形態によれば、位置決めブロック６４と保持ブロック６６が独立していることによって第５の実施の形態と同様の作用効果が得られるほか、保持ブロック６６の硬質化により斜状のガイド面６９が各チャンネル部材６，７の端面６ａまたは７ａを乗り越えやすくなり、同時に節度感が得られるようになって組付性が向上するほか、組付後の保持性も一段と向上することになる。
【００５６】
なお、先に述べた第３〜第７の実施の形態において、各位置決めブロックや保持ブロックの全てをグラスランコーナー部９Ｃと同じ材質のもので形成しても良いことは言うまでもない。
【図面の簡単な説明】
【００５７】
【図１】本発明に係るグラスランコーナー部の取付構造の第１実施の形態を示す図で、図５のＱ部拡大説明図。
【図２】図１のＡ−Ａ線に沿う拡大断面図。
【図３】図１のＢ−Ｂ線に沿う断面説明図。
【図４】図１の要部拡大図。
【図５】自動車のリアドアの概略説明図。
【図６】本発明に係るグラスランコーナー部の取付構造の第２実施の形態を示す図で、図５のＱ部相当部の拡大説明図。
【図７】図６でのグラスランコーナー部の組付手順を示す説明図。
【図８】本発明に係るグラスランコーナー部の取付構造の第３実施の形態を示す図で、図５のＱ部相当部の拡大説明図。
【図９】本発明に係るグラスランコーナー部の取付構造の第４実施の形態を示す図で、図５のＱ部相当部の拡大説明図。
【図１０】本発明に係るグラスランコーナー部の取付構造の第５実施の形態を示す図で、図５のＱ部相当部の拡大説明図。
【図１１】図１０のＣ−Ｃ線に沿う拡大断面図。
【図１２】本発明に係るグラスランコーナー部の取付構造の第６実施の形態を示す図で、図５のＱ部相当部の拡大説明図。
【図１３】本発明に係るグラスランコーナー部の取付構造の第７実施の形態を示す図で、図５のＱ部相当部の拡大説明図。
【符号の説明】
【００５８】
２…ドアフレーム
４…アウタパネル
５…インナパネル
６…横辺側チャンネル部
７…縦辺側チャンネル部
８…フレーム側コーナー部
９…グラスラン
９Ａ…グラスラン一般部
９Ｂ…グラスラン一般部
９Ｃ…グラスランコーナー部
１４…位置決めブロック
１５…係止爪部
１８…係止凹部
１９…ガイド面
２４…位置決めブロック
２５…係止爪部
２８…係止凹部
３４…位置決めブロック
４４…位置決めブロック
４５…凹欠部
５４…位置決めブロック
５５…係止爪部
５６…保持ブロック
５９…ガイド面
６４…位置決めブロック
６５…係止爪部
６６…保持ブロック
６９…ガイド面
【図１】
2008168793.tif 000003
【図２】
2008168793.tif 000004
【図３】
2008168793.tif 000005
【図４】
2008168793.tif 000006
【図５】
2008168793.tif 000007
【図７】
2008168793.tif 000008
【図１２】
2008168793.tif 000009
【図１３】
2008168793.tif 000010
【図６】
2008168793.tif 000011
【図８】
2008168793.tif 000012
【図９】
2008168793.tif 000013
【図１０】
2008168793.tif 000014
【図１１】
2008168793.tif 000015